(57)【要約】      （修正有）【課題】コンクリートのスランプ試験を迅速に行うための補助具であるスランプ試験用シートを提供する。【解決手段】スランプ試験用シート１は、コンクリートの流動性を計測するためのスランプコーンを用いたスランプ試験に使用する補助具であり、略中央部にスランプコーンの最下部と略一致する形状の中央穴１１が設けられ、当該中央穴１１の外周上の一点から当該スランプ試験用シート１の外縁の一点に至る切込１２が設けられ、さらに、防水性または撥水性を有する。【選択図】図１
0003214608.tif 000002
【実用新案登録請求の範囲】
【請求項１】
コンクリートの流動性を計測するためのスランプコーンを用いたスランプ試験に使用する補助具であるスランプ試験用シートであって、
略中央部に上記スランプコーンの最下部と略一致する形状の中央穴が設けられ、
当該中央穴の外周上の一点から当該スランプ試験用シートの外縁の一点に至る切込が設けられた
ことを特徴とするスランプ試験用シート。
【請求項２】
防水性または撥水性を有する
ことを特徴とする請求項１に記載のスランプ試験用シート。
【考案の詳細な説明】
【技術分野】
【０００１】
本考案は、生コンクリートのスランプ試験を迅速に行うことを目的としたスランプ試験用シートに関する。
【背景技術】
【０００２】
スランプ試験とは、凝固前の生コンクリートの流動性を示す値であるスランプ値を求めるための試験である。スランプ値が大きくなるほど流動性の高い生コンクリートである。
スランプ試験は、図６に示すように、スランプコーン１０１を用いて行う。スランプコーン１０１は、上部と下部が解放された筒状体であり、下部が上部よりも大きな径を有している。まず、平板１００を水平な面に設置し、その上にスランプコーン１０１を設置する。そして、スランプコーン１０１の上部より生コンクリートを入れ、スランプコーン１０１を生コンクリートで満たす（図６（ａ））。この状態から、スランプコーン１０１を、持ち手１０１ａを持って鉛直方向にゆっくりと引き上げる。すると、流動性を持つ生コンクリート１０３は崩れ、そして広がる（図６（ｂ））。広がった状態の生コンクリート１０３の中央部は下がるが、下がった長さがスランプ値である。流動性の高い生コンクリートの場合には、その広がり（スランプフロー）で流動性を表す場合がある。
【０００３】
この試験においては、スランプコーン１０１の上部より生コンクリートを入れる際に、生コンクリートが平板１００上にこぼれ落ちることが頻繁にある。こぼれ落ちた生コンクリートは、スランプコーン１０１を引き上げる前に拭き取ることが必要である。こぼれ落ちた生コンクリートが、スランプ値の測定に影響を及ぼさないようにするためである。また、拭き取ることが面倒であるため、どうしても、こぼれないように慎重になり、生コンクリートを充填するのに時間が掛かる。このようなことがあるため、この試験を迅速に行うことができなかった。
【０００４】
この問題を解決するため、スランプコーン上面の生コンクリート投入口およびスコップからこぼれた生コンクリートがスランプ板の上に落ちないようにスランプコーンの上部の生コンクリート投入口付近を囲む形の生コンクリート受けをスランプコーンに装着することが提案されている（例えば、特許文献１）。
【先行技術文献】
【特許文献】
【０００５】
【特許文献１】特開２００６−１７５０３
【考案の概要】
【考案が解決しようとする課題】
【０００６】
しかしながら、特許文献１に開示された生コンクリート受けを使用した場合、生コンクリート受けが、スランプコーンの持ち手を持つ際に邪魔になるという課題があった。
また、生コンクリート受けが邪魔になり、スランプコーンを引き上げる作業者から、平板が見えにくくなり、スランプコーンを鉛直に正確に引き上げるための視覚上の障害になっていた。
このようなことから、スランプコーンを鉛直に正確に引き上げることが困難になる場合があった。スランプコーンの引き上げ方は、試験規格で鉛直方向に所定の速さで行うことが規定されており、ある程度の熟練度を必要とする作業である。したがって、生コンクリート受けを付けることで、スランプコーンの引き上げに微妙な影響を及ぼすことになり、熟練した者であっても、正確な引き上げ作業に支障をきたす場合があった。
【０００７】
さらに、スランプコーンを鉛直に引き上げられずに、少しでも傾くと、生コンクリート受けに溜まった生コンクリートが平板上にこぼれ落ちることもあった。このように、引き上げ作業中に生コンクリートが平板上にこぼれ落ちると、試験を最初から、すなわち、生コンクリートを充填する段階からやり直す必要がある、という別の大きな課題も生じていた。
【０００８】
本考案は上記の課題を解決するためになされたものであり、生コンクリートのスランプ試験を迅速且つ容易に行うための試験用補助具に関するものである。
【課題を解決するための手段】
【０００９】
請求項１に係るスランプ試験用シートは、コンクリートの流動性を計測するためのスランプコーンを用いたスランプ試験に使用する補助具である。そして、略中央部に上記スランプコーンの最下部の形状と略一致する形状の中央穴が設けられ、
当該中央穴の外周上の一点から当該スランプ試験用シートの外縁の一点に至る切込が設けられた
ことを特徴とするものである。
【００１０】
請求項２に係るスランプ試験用シートは、防水性または撥水性を有する
ことを特徴とするものである。
【考案の効果】
【００１１】
本考案に係るスランプ試験用シートは上記のように構成されるため、生コンクリートがスランプコーンからこぼれた場合であっても、スランプ試験用シートを取り去ることで、迅速に試験を進めることができる。
【図面の簡単な説明】
【００１２】
【図１】本考案に係るスランプ試験用シートの平面図である。
【図２】スランプ試験の構成を示す図である。
【図３】本考案に係るスランプ試験用シートをスランプ試験に使用する際の説明図である。
【図４】本考案に係るスランプ試験用シートをスランプ試験に使用する際の説明図である。
【図５】本考案に係る別のスランプ試験用シートの平面図である。
【図６】スランプ試験の方法を説明するための図である。
【考案を実施するための形態】
【００１３】
実施の形態．
本考案に係るスランプ試験用シートについて、図を用いて説明する。なお、以下の説明は本考案に関する良好な一例を開示するものであり、本考案が当該実施の形態に限定されるものではない。
【００１４】
＜スランプ試験シートの形状＞
図１は、スランプ試験用シート１の平面図である。
スランプ試験用シート１は、生コンクリートの流動性を計測するためのスランプコーンを用いたスランプ試験に使用する補助具である。そして、略中央部に上記スランプコーンの最下部の形状と略一致する形状の中央穴１１が設けられ、当該中央穴１１の外周上の一点から当該スランプ試験用シートの外縁の一点に至る切込１２が設けられている。
【００１５】
また、スランプ試験用シートは防水性または撥水性を有することが望ましい。
【００１６】
＜スランプ試験への適用＞
図２は、スランプ試験の構成を示す図である。
スランプ試験においては、まず平板３を水平な地面上に設置する。次に、平板３上の中央付近に、スランプコーン２を設置する。スランプコーン２は上下が解放された筒状体であり、上部より下部が広がった筒体である。スランプコーン２の上部には、生コンクリートを入れるコンクリート投入口が、側面には持ち手２２が設けられている。持ち手２２は、図では隠れている反対面にも設けられており、両手でふたつの持ち手２２を持って、スランプコーン２を引き上げる。
【００１７】
図３と図４は、スランプ試験用シート１をスランプ試験に使用する際の説明図である。
スランプ試験用シート１の外形は、平板２の外形とだいたい一致していることが望ましい。もちろん、多少小さかったり大きかったりしても良い。スランプ試験用シート１の素材は、ビニール等の樹脂やレザー等であり、曲げたり折ったりすることができる程度の柔軟性を有している。厚みは１ｍｍから１０ｍｍ程度である。
さらに、スランプ試験用シート１は防水性または撥水性を有することが望ましい。ここで、スランプ試験用シート１が防水性または撥水性を有するとは、スランプ試験用シート１を構成する素材自身が防水性または撥水性を有していても良いし、素材表面にコーティングを施すことで防水性または撥水性を付与しても良い。
【００１８】
このスランプ試験用シート１を、図３や図４に示すように、スランプコーン２の周りに敷く。スランプ試験用シート１の中央穴１１に、スランプコーン２の最下部が設置されるように、スランプ試験用シート１を敷けばよい。図４に示すように、スランプコーン２の最下部の周りは、完全にスランプ試験用シート１によりカバーされる。
【００１９】
この状態で、生コンクリートをスランプコーン２の最上部に設けられた開口であるコンクリート投入口より入れる。例えば、スコップ等を用いて、生コンクリートを入れていき、スランプコーン２内を生コンクリートで充填する。
この充填作業において、生コンクリートがスランプコーン２の外にこぼれることが頻繁に起こる。
【００２０】
スランプコーン２の最下部の周りは、完全にスランプ試験用シート１によりカバーされているため、こぼれた生コンクリートは、すべてスランプ試験用シート１上に落ちる。生コンクリートをスランプコーン２に充填する作業が完了した後に、スランプ試験用シート１を平板３上から取り去る。取り去る際には、スランプ試験用シート１の切込１２から、スランプ試験用シート１の表面を常に上に向けて取り去れば、スランプ試験用シート１上にこぼれた生コンクリートは、平板３上に落ちる心配はない。
【００２１】
スランプ試験用シート１を平板３上から取り去った後に、スランプコーン２を引き上げる作業を行う。そして、スランプコーン２を完全に引き上げた後に、生コンクリートのスランプ値やスランプフロー値を測定する。
【００２２】
＜スランプ試験シートの切込について＞
なお、スランプ試験用シートの切込は、中央穴の外周上の一点から当該スランプ試験用シートの外縁の一点に至る切込であれば、どのような切込であっても良い。例えば、図５に示すように、中央穴４１の外周上の一点からスランプ試験用シート４の外縁のどの一点に至る切込４２であっても良い。切込は直線に限らず、曲線であっても良い。
【００２３】
＜本考案のまとめ＞
上述したスランプ試験シートの有する優れた特長について、以下に列挙する。
第一に、スランプ試験を迅速に行うことができる。
生コンクリートをスランプコーンに充填する際に、生コンクリートがこぼれることを気にせずに充填作業を進めることができるため、充填作業を迅速に行える。また、コンクリートがこぼれた際には、スランプ試験用シートを取り去るという簡単な作業で、次のスランプコーン引き上げ作業に直ちに移行できる。
特に、スランプ試験用シートに防水性や撥水性を持たすことで、コンクリートが付いたスランプ試験用シートを水洗い等で簡単に洗浄できる。
スランプ試験を連続して行う際には、スランプ試験用シートを複数枚用意し、順に使用すればよい。
【００２４】
第二に、通常のスランプ試験と同様に、スランプコーン引き上げ作業を行うことができる。スランプコーン引き上げ作業は熟練を要する作業であり、少しでも作業環境が変わると、作業の失敗につながることがある。しかし、スランプ試験用シートは平板上に設置してあるだけであるので、スランプコーン引き上げ作業に全く影響を与えることは無い。
【００２５】
第三に、安価である。図１や図５に示したような簡素な形状の平面シートであるため、安価に製造できる。
【符号の説明】
【００２６】
１  スランプ試験用シート
１１  中央穴
１２  切込
２  スランプコーン
２１  コンクリート投入口
２２  持ち手
３  平板
４  スランプ試験用シート
４１  中央穴
４２  切込
【図１】
0003214608.tif 000003
【図２】
0003214608.tif 000004
【図３】
0003214608.tif 000005
【図４】
0003214608.tif 000006
【図５】
0003214608.tif 000007
【図６】
0003214608.tif 000008